(57)【特許請求の範囲】
【請求項１】
外装内側シートおよび外装外側シートを含む多層構成を有する本体部と、
着用者の臀裂部に当接可能であり、且つ排泄便を受けるための受容開口部を有する、臀裂対向部と、
着用者身体から隔てて排泄便を収容するための収容部であって、前記外装内側シートおよび前記外装外側シートの間に位置し、且つ、前記外装内側シートに形成された収容開口部を有する、収容部と、
前記臀裂対向部の前記受容開口部から前記収容開口部を経て前記収容部まで排泄便を導くための送便管路であって、前記収容部側の出口開口端を有する、送便管路と、
前記収容部内に位置する弾性台座部であって、前記外装内側シートにおける前記収容開口部まわりに固定された第１環状基部、当該第１環状基部に対して対向配置された第２環状基部、並びに、これら第１および第２環状基部間を橋渡す複数の弾性ストリップ部を有する、弾性台座部と、を備える介護用使い捨てオムツ。
【請求項２】
前記弾性台座部において、前記第２環状基部は、前記第１環状基部よりも大きな外形サイズを有し、且つ、前記複数の弾性ストリップ部のそれぞれは、外方に膨らむ湾曲形状を有する、請求項１に記載の介護用使い捨てオムツ。
【請求項３】
前記送便管路は、前記出口開口端側の端部において、前記送便管路の延び方向に延びる複数の片持ち片を有し、当該片持ち片は、前記送便管路の内壁面側に、前記延び方向と交差する方向に延びる切り込みを有する、請求項１または２に記載の介護用使い捨てオムツ。
【請求項４】
前記送便管路は、前記出口開口端側の端部において、切欠き開口部を有する、請求項１から３のいずれか一つに記載の介護用使い捨てオムツ。
【請求項５】
前記臀裂対向部は、肛門まわりに貼着するための粘着部を前記受容開口部まわりに有する、請求項１から４のいずれか一つに記載の介護用使い捨てオムツ。
【請求項６】
前記臀裂対向部および前記送便管路は一体成形されている、請求項１から５のいずれか一つに記載の介護用使い捨てオムツ。
【請求項７】
前記収容部は、前記本体部における前記外装内側シートおよび前記外装外側シートの間に配置された収容袋体を備える、請求項１から６のいずれか一つに記載の介護用使い捨てオムツ。
【請求項８】
前記本体部は、前記外装内側シートよりも着用者側に位置するトップシートを更に含む多層構成を有し、
前記トップシートと前記外装内側シートとの間に位置する吸収ユニットを更に備える、請求項１から７のいずれか一つに記載の介護用使い捨てオムツ。
【発明の詳細な説明】
【技術分野】
【０００１】
本発明は、介護用使い捨てタイプのオムツに関する。
【背景技術】
【０００２】
介護用オムツとして、使い捨てのオムツが多用されている。介護用使い捨てオムツは、パンツタイプやいわゆるテープタイプなどのタイプに応じた形態を有するオムツ本体部、および、排泄物を吸収する役割を担う吸収ユニットを、備える。吸収ユニットは、水分吸収容量の大きな例えば高分子吸水材を内部に有し、介護用使い捨てオムツの着用者からの排泄尿の多くは、この吸収ユニットによって吸収されることとなる。このような介護用使い捨てオムツに関する技術については、例えば下記の特許文献１〜３に記載されている。
【先行技術文献】
【特許文献】
【０００３】
【特許文献１】特開２０１７−７４１１３号公報
【特許文献２】特開２０１７−８６５６５号公報
【特許文献３】特開２０１７−９３９３１号公報
【発明の概要】
【発明が解決しようとする課題】
【０００４】
従来、介護用使い捨てオムツの着用者から排泄される便は、オムツの着用者身体側内部で受けられて、その全部または大部分が着用者身体とオムツとの間に留め置かれる。この留め置かれた排泄便によって着用者身体は汚れてしまう。また、排泄後におけるオムツ替えの作業時には、その作業者の手など身体が、オムツ内に留め置かれた排泄便によって汚れてしまう場合がある。
【０００５】
本発明は、以上のような事情のもとで考え出されたものであって、その目的は、着用者やオムツ替え作業者が排泄便で汚れることを抑制するのに適した介護用使い捨てオムツを提供することにある。
【課題を解決するための手段】
【０００６】
本発明により提供される介護用使い捨てオムツは、本体部と、臀裂対向部と、送便管路と、収容部と、弾性台座部とを備える。本体部は、外装内側シートおよび外装外側シートを含む多層構成を有する。外装内側シートは、外装外側シートよりも、オムツの内方側（着用者身体側）に位置する。臀裂対向部は、着用者の臀裂部に当接可能であり、且つ、排泄便を受けるための受容開口部を有する。収容部は、着用者身体から隔てて排泄便を収容するためのものであり、外装内側シートおよび外装外側シートの間に位置し、且つ、外装内側シートに形成された収容開口部を有する。送便管路は、臀裂対向部の受容開口部から収容開口部を経て収容部まで排泄便を導くためのものであり、収容部側の出口開口端を有する。弾性台座部は、収容部内に位置し、外装内側シートにおける収容開口部まわりに固定されている第１環状基部と、当該第１環状基部に対して対向配置された第２環状基部と、これら第１および第２環状基部間を橋渡す複数の弾性ストリップ部とを有する。各弾性ストリップ部は、第１・第２環状基部間で弾性変形可能である。このような構成の介護用使い捨てオムツは、着用者の肛門に臀裂対向部の受容開口部が対向する位置および姿勢で臀裂対向部が着用者の臀裂部に当接するように、使用者に着用される。そして、着用者から排泄される便は、着用者の臀裂部に当接する臀裂対向部の受容開口部に受容され、送便管路を通って収容部に至る。
【０００７】
本発明の介護用使い捨てオムツは、上記のように、本体部の外装内側シートと外装外側シートとの間に位置する収容部を備える。このような構成は、着用者からの排泄便を着用者身体から隔てた状態で留め置くのに適し、従って、着用者の身体が排泄便で汚れることを抑制するのに適する。そして、本オムツについて、収容部内に排泄便が収容された状態でオムツ替え作業が行われる場合、作業者の手など身体は、汚れにくい。
【０００８】
また、本発明の介護用使い捨てオムツは、上記のように、排泄便受容口である受容開口部を有して着用者臀裂部に当接可能な臀裂対向部を備える。このような構成は、着用者からの排泄便を適切に受けて収容部に導くのに役立ち、ひいては、着用者やオムツ替え作業者が排泄便で汚れることを抑制するのに役立つ。
【０００９】
加えて、本発明の介護用使い捨てオムツは、上記のように、臀裂対向部の受容開口部から収容開口部を経て収容部まで排泄便を導くための送便管路を備える。この送便管路は、臀裂対向部の受容開口部から収容部側に延出する。このような送便管路は、着用者からの排泄便を収容部に収容させるのに役立つのに加えて、収容部に一旦収容された排泄便が収容部から臀裂対向部の受容開口部に戻りにくくする（即ち、排泄便の逆流を抑制する）のにも役立つ。そして、このような逆流の抑制は、着用者やオムツ替え作業者が排泄便で汚れることを抑制するのに役立つ。
【００１０】
更に加えて、本発明の介護用使い捨てオムツは、上記のように、収容部内に位置する弾性台座部を備える。弾性台座部は、上記のように、外装内側シートの収容開口部まわりに固定された第１環状基部と、これに対向配置された第２環状基部と、これらを橋渡す複数の弾性ストリップ部とを有する。このような弾性台座部は、収容部内において、クッション性を有しつつ、送便管路まわりの空間を確保するのに適する（上述のように臀裂対向部の受容開口部から収容部側に延出する送便管路の少なくとも一部は、弾性台座部によって確保された空間内に位置する）。収容部内での空間確保機能を担う弾性台座部を本オムツが備えるという構成は、送便管路内の排泄便の良好な通過を実現するのに適するとともに、収容部の排泄便収容空間の確保維持に適し、従って、送便管路通過中の排泄便の逆流や、収容部に既に収容された排泄便の逆流を、抑制するのに適する。そして、これら逆流の抑制は、着用者やオムツ替え作業者が排泄便で汚れることを抑制するのに役立つ。このような機能を担う弾性台座部がクッション性を有することは、本オムツにおいて、着用者への異物感を低減して良好な装着感を確保するのに適する。また、弾性台座部における複数の弾性ストリップ部は、臀裂対向部を着用者臀裂部に向けて付勢して、着用者臀裂部に対する臀裂対向部の良好な当接状態を実現するのにも、役立つ。
【００１１】
以上のように、本発明の介護用使い捨てオムツでは、臀裂対向部と、送便管路と、弾性台座部と、収容部とが、汚れ抑制に向けて協働する。したがって、本発明の介護用使い捨てオムツは、着用者やオムツ替え作業者が排泄便で汚れることを抑制するのに適するのである。また、このような汚れ抑制は、感染防止に役立ち、ひいては、感染症の蔓延防止に役立つ。
【００１２】
上述の弾性台座部において、好ましくは、第２環状基部は、第１環状基部よりも大きな外形サイズを有し、且つ、複数の弾性ストリップ部のそれぞれは、外方に膨らむ湾曲形状を有する。このような構成は、収容部内において送便管路まわりの空間を確保して、排泄便の上述の逆流を抑制するのに好ましく、従って、着用者やオムツ替え作業者が排泄便で汚れることを抑制するのに好ましい。また、各弾性ストリップ部が外方に膨らむ湾曲形状を有することは、弾性台座部におけるクッション性の発現に役立つ。
【００１３】
送便管路は、好ましくは、出口開口端側の端部において、送便管路の延び方向に延びる複数の片持ち片を有し、当該片持ち片は、送便管路の内壁面側に、延び方向と交差する方向に延びる切り込みを有する。このような構成によると、送便管路において、その出口開口端に対して他端側に向けて圧縮する力が作用したときに、上記の各片持ち片が外方に開きやすい。圧縮力作用時に片持ち片がこのように外方変形しやすいことは、送便管路において、その流路を確保しつつクッション性を付与するのに適する。送便管路がクッション性を有することは、本オムツにおいて、着用者への異物感を低減して良好な装着感を確保するのに役立つ。また、片持ち片に関する上記構成は、送便管路について、本オムツが例えば使用前に折りたたまれている状態でのコンパクト化と、オムツ使用時の送便管路長さの確保とを、両立するのにも役立つ。
【００１４】
送便管路は、好ましくは、出口開口端側の端部において、切欠き開口部を有する。このような構成は、送便管路の出口開口端が収容部内面や排泄便に当接する場合であっても、送便管路の内から外への排泄便の出口を確保するのに適する。
【００１５】
臀裂対向部は、好ましくは、肛門まわりに貼着するための粘着部を受容開口部のまわりに有する。このような構成は、着用者からの排泄便を、臀裂対向部の受容開口部によって受容するのに好ましく、従って、収容部に導くのに好ましい。
【００１６】
好ましくは、臀裂対向部および送便管路は一体成形されている。このような構成は、本オムツを効率よく製造するうえで好ましい。
【００１７】
収容部は、好ましくは、本体部における外装内側シートと外装外側シートとの間に配された収容袋体を有する。このような構成において、本オムツの着用者からの排泄便は、収容袋体内に収容されることとなる。当該構成は、着用者からの排泄便を着用者身体から隔てた状態で留め置くのに適し、従って、オムツ着用者やオムツ替え作業者が排泄便で汚れることを抑制するのに役立つ。
【００１８】
本発明の介護用使い捨てオムツにおける本体部は、上述の外装内側シートおよび外装外側シートとともにトップシートを更に含む多層構成を有するのが好ましい。当該多層構成において、両外装シートよりもトップシートはオムツの内方側すなわち着用者身体側に位置する。そして、本オムツは、排泄尿など排泄物を吸収する機能を担う吸収ユニットをトップシートと外装内側シートの間に更に備えるのが好ましい。
【図面の簡単な説明】
【００１９】
【図１】本発明の実施形態に係る介護用使い捨てオムツの斜視図である。
【図２】図１に示す介護用使い捨てオムツの展開平面図である。
【図３】図１に示す介護用使い捨てオムツの一部省略展開平面図である。
【図４】図２のIV−IV線に沿った断面模式図である。
【図５】図１に示す介護用使い捨てオムツの概念断面模式図である。
【図６】臀裂対向部と送便管路とが一体化された複合ユニットの斜視図である。
【図７】図６のVII-VII線に沿った断面図である。
【図８】図６中に示される片持ち片の拡大斜視図である。
【図９】弾性台座部の斜視図である。
【図１０】図９に示す弾性台座部の縦断面図である。
【図１１】本発明の実施形態に係る介護用使い捨てオムツの一の状態における部分拡大断面図である。
【図１２】本発明の実施形態に係る介護用使い捨てオムツの他の状態における部分拡大断面図である。
【図１３】図６および図７に示す複合ユニットの一の変形例の断面図である。
【図１４】図６および図７に示す複合ユニットの他の変形例の斜視図である。
【図１５】図１４中に示される片持ち片の拡大斜視図である。
【図１６】図８および図９に示す複合ユニットの一の変形例の断面図である。
【発明を実施するための形態】
【００２０】
図１から図４は、本発明に係る介護用使い捨てオムツの一の実施形態であるオムツＸを表す。図１は、オムツＸの斜視図である。図２は、オムツＸの展開平面図であり、図３はオムツＸの一部省略展開平面図である。図４は、図２のIV−IV線に沿った断面模式図である。また、図５はオムツＸの概念断面模式図である。
【００２１】
オムツＸは、本体部１０と、吸収ユニット２０と、山型パッド３０（臀裂対向部）と、チューブ４０（送便管路）と、収容部５０とを備える介護用使い捨てオムツであり、本実施形態ではパンツタイプとして構成されている。オムツＸの使用にあたっては、山型パッド３０が着用者の臀裂部に当接するように、オムツＸは使用者に着用される。
【００２２】
本体部１０は、本実施形態では図１に示すように、ウエスト開口部１０ａと脚開口部１０ｂ,１０ｂとを伴うパンツ型の形状を有する。この本体部１０は、展開状態にて図２に示す平面視形状を有するシート体であって、図３や図４に表れているように、トップシート１１と、外装内側シート１２と、外装外側シート１３とを含む多層構成を有する。本体部１０においては、トップシート１１と外装内側シート１２との間の所定箇所が接合され、且つ、外装内側シート１２と外装外側シート１３との間の所定箇所が接合されている。接合の手法としては、例えば、ホットメルト型接着剤による接着、熱溶着（ヒートシール）、および縫製が挙げられる（後記の各接合の手法についても同様である）。このような多層シート体における図２に示す端部Ｅ,Ｅどうしの接合、および、図２に示す端部Ｅ',Ｅ'どうしの接合を経て、本体部１０ないしオムツＸは立体化されたものである。
【００２３】
トップシート１１は、本体部１０において着用者側最表層をなし、且つ、液透過性を有する。また、トップシート１１は、山型パッド３０の配設箇所にて開口する開口部１１ａを有する。トップシート１１における開口部１１ａまわりは、図１１および図１２によく表れているように、外装内側シート１２における後述の開口部１２ａまわりと接合されている（ただし、図１１および図１２では、図の簡潔化の観点から、シート１１,１２を一体的なシート体として示す）。このようなトップシート１１の素材としては、例えば、不織布、織布、メッシュシート、および、液透過孔の形成されたプラスチックフィルムが、挙げられる。トップシート用素材の不織布や織布をなすための繊維の構成材料としては、例えば、ポリオレフィン、ポリエステル、ナイロン、セルロース、レーヨン、およびコットンが挙げられる。ポリオレフィンとしては、例えば、ポリプロピレンおよびポリエチレンが挙げられる。ポリエステルとしては、例えば、ポリエチレンテレフタレート（ＰＥＴ）およびポリブチレンテレフタレートが挙げられる。また、トップシート用素材の不織布や織布をなすための繊維は、好ましくは、親水性繊維、または、界面活性剤での表面処理によって表面の親水化が図られた疎水性繊維である。
【００２４】
本体部１０における外装内側シート１２および外装外側シート１３は、排泄物における液分がオムツＸの内側から外側に透過するのを防止するための液不透過性を有し、且つ、それらの外縁端部どうしが本実施形態では全周にわたって接合されている。外装内側シート１２は、山型パッド３０の配設箇所にて開口する開口部１２ａ（例えば図５に示す）を有する。外装内側シート１２における開口部１２ａまわりは、本実施形態では、トップシート１１における上述の開口部１１ａまわりと接合されている。各外装シートの素材としては、例えば、不織布、プラスチックフィルム、および、不織布とプラスチックフィルムとのラミネート材が、挙げられる。外装シート用素材の不織布をなすための繊維の構成材料としては、例えば、ポリオレフィン、ポリエステル、およびナイロンが挙げられる。外装シート用素材の不織布をなすための繊維は、好ましくは疎水性繊維である。このような外装内側シート１２および外装外側シート１３は、防水処理が施されていてもよい。
【００２５】
吸収ユニット２０は、オムツＸにおいて排泄物中の排泄尿など液分を吸収する機能を担うものであり、図４に示すように、本体部１０におけるトップシート１１と外装内側シート１２との間に配置されている。また、吸収ユニット２０は、トップシート１１および／または外装内側シート１２に対して接合されてもよい。
【００２６】
このような吸収ユニット２０は、例えば、水分吸収容量の大きなシート状の高分子吸水材と、この高分子吸水材を被覆して保持するための液透過性シートとを有する。高分子吸水材の構成材料としては、例えば、ポリアクリル酸系樹脂、ポリアスパラギン酸系樹脂、セルロース系樹脂が挙げられる。液透過性シートとしては、例えば綿状パルプが挙げられる。また、吸収ユニット２０ないしその表面の液透過性シートと上述のトップシート１１との間には、吸収ユニット２０に向けての液分移動速度を高める目的で例えば、吸水紙が配置されてもよい。
【００２７】
山形パッド３０とチューブ４０とは、一体化されているのが好ましい。図６および図７は、山形パッド３０とチューブ４０とが一体化された複合ユニットＵを表す。
【００２８】
山型パッド３０は、着用者臀裂部に当接可能な臀裂対向部であり、本実施形態では山型の形状を有する。具体的には、山型パッド３０は、図６および図７によく表れているように、頂辺部３１と、一対の傾斜面部３２とを有する。一対の傾斜面部３２は、好ましくは、頂辺部３１を対称軸とする対称的な形状を有する。また、山型パッド３０は、頂辺部３１およびその近傍領域に開口形成された開口部３０ａを有する。開口部３０ａは、排泄便を受けるための受容開口部である。
【００２９】
図２に示す平面視形状において、山型パッド３０は例えば略円形であり、山形パッド３０の外形サイズ（方向によって寸法が異なる場合には最大寸法）は、例えば５〜１２ｃｍであり、開口部３０ａの外形サイズ（方向によって寸法が異なる場合には最大寸法）は、例えば３〜８ｃｍである。山型パッド３０の厚さ（肉厚）は、例えば１〜８ｍｍである。一対の傾斜面部３２がなす角度α（図７に示す）は、例えば６０°〜１５０°である。
【００３０】
このような山型パッド３０は、柔軟性を有する材料からなる。山型パッド３０用の柔軟性材料としては、例えば、ゴム系素材、スポンジ材、これら以外の樹脂材料が挙げられる。ゴム系素材としては、例えば、シリコーンゴム、クロロプレンゴム、ウレタンゴム、およびエチレンプロピレンゴムが挙げられる。スポンジ材としては、例えば、セルローススポンジ、ポリウレタンスポンジ、およびメラミンスポンジが挙げられる。上記樹脂材料としては、例えば、シリコーン樹脂、ポリウレタン樹脂、および軟質塩化ビニルが挙げられる。
【００３１】
本実施形態では、山形パッド３０は、着用者臀裂における肛門まわりに貼着するための粘着部３３を開口部３０ａまわりに有する。粘着部３３の材料としては、例えば、ウレタンゲルおよび粘着剤が挙げられる。ウレタンゲルとしては、例えば、エクシール社製の超軟質ウレタン樹脂素材が挙げられる。同素材は、ポリオールブレンドとイソシアネート（それぞれが適度に濃度調整されている）の例えば１対１での混合を経て、形成することができる。粘着剤としては、例えば、ゴム系粘着剤、アクリル系粘着剤、シリコーン系粘着剤、およびハイドロコロイドが挙げられる。山形パッド３０が開口部３０ａまわりに粘着部３３を有するという構成は、着用者からの排泄便を、山型パッド３０の開口部３０ａによって受容するのに好ましく、従って、収容部５０に導くのに好ましい。
【００３２】
また、山型パッド３０は、その着用者側表面とは反対側の面（裏面）が、好ましくはトップシート１１と接合されている（接合されていなくてもよい）。山型パッド３０の裏面がトップシート１１と接合される場合、山型パッド３０の裏面の全体がトップシート１１と接合されてもよいし、山型パッド３０の裏面の一部がトップシート１１と接合されてもよい。この接合の手法としては、ホットメルト型接着剤による接着が好ましい。接合されなくてもよい
【００３３】
本発明の臀裂対向部は、山型パッド３０が有する上述のような山型の形状以外の形状を有してもよい。臀裂対向部は、例えば、着用者身体側の少なくとも露出面側が全体として平坦な形状（但し柔軟素材よりなる）を有するものでもよい。
【００３４】
チューブ４０は、送便管路であって、山型パッド３０の開口部３０ａから後述の収容部５０側に延出し、開口部３０ａから収容部５０まで排泄便を導くための経路をなす。本実施形態では、チューブ４０は、柔軟素材よりなるフレキシブル管路である。また、チューブ４０は、排泄便経路の始端側の入口開口端４１と、終端側の出口開口端４２とを有する。チューブ４０の入口開口端４１は、山型パッド３０の開口部３０ａと繋がって連続している。
【００３５】
チューブ４０は、本実施形態では、出口開口端４２側の端部において、チューブ４０の延び方向Ｄに延びる複数の片持ち片４３を有する。片持ち片４３は、例えば、チューブ４０の出口開口端４２側の端部に、延び方向Ｄに延びる複数のスリットを形成することにより、形成できる。各片持ち片４３は、図８に示すように、チューブ４０の内壁面側に、延び方向Ｄと交差する方向に延びる切り込み４３ａを有する（図８は、一つの片持ち片４３を示す拡大斜視図である）。このようなチューブ４０においては、その出口開口端４２に対して他端側に向けて圧縮する力が作用したときには、各片持ち片４３が外方に開きやすい。また、チューブ４０は、本実施形態では、出口開口端４２側の端部において、切欠き開口部４４を有する。
【００３６】
このようなチューブ４０は、柔軟性を有する材料からなる。チューブ４０用の柔軟性材料としては、例えば、ゴム系素材、および、ゴム系素材以外の樹脂材料が挙げられる。ゴム系素材としては、例えば、シリコーンゴム、クロロプレンゴム、ウレタンゴム、およびエチレンプロピレンゴムが挙げられる。ゴム系素材以外の樹脂材料としては、例えば、シリコーン樹脂、ポリウレタン樹脂、および軟質塩化ビニルが挙げられる。
【００３７】
以上のような山形パッド３０およびチューブ４０を備える複合ユニットＵは、例えば、樹脂材料から一体成形することによって作製することができる（第１の方法）。この方法は、オムツＸの製造効率の観点から好ましい。すなわち、製造効率の観点からは、上述の山形パッド３０およびチューブ４０は一体成形されているのが好ましい。また、複合ユニットＵは、山形パッド３０とチューブ４０とを個別に作製した後に両者を接合することによって作製することもできる。この方法は、異なる機能・特性が求められる山形パッド３０とチューブ４０とで、構成材料の最適化を図るうえで好ましい。山形パッド３０は、着用者身体と接触しうる部位であるため、例えば、柔軟性および低刺激性などが求められる。チューブ４０は、排泄便の流路確保の観点から、例えば、柔軟性を有しつつもコシが求められる。
【００３８】
収容部５０は、着用者身体から隔てて排泄便を収容するためのものであって、図４および図５に示すように、本体部１０における外装内側シート１２および外装外側シート１３の間に位置し、外装内側シート１２に形成された開口部１２ａを収容開口部として有する。また、収容部５０は、好ましくは、収容袋体５１を有する。収容袋体５１は、開口部５１ａを有し、且つ、外装内側シート１２と外装外側シート１３との間に配置されている。収容袋体５１の開口部５１ａは、外装内側シート１２の開口部１２ａまわりに沿って接合されている。
【００３９】
弾性台座部６０は、収容部５０内に位置し、環状基部６１と、環状基部６２と、弾性ストリップ部６３とを有する。環状基部６１は、外装内側シート１２における開口部１２ａまわりに固定されている。環状基部６２は、環状基部６１に対して対向配置されている。環状基部６１,６２は、円形の環形状を有してもよいし、矩形など他の形状の環形状を有してもよい（円形の環形状を有する場合を例示的に図示する）。各弾性ストリップ部６３は、環状基部６１,６２間を橋渡すように設けられ、環状基部６１,６２間で弾性変形可能である。本実施形態では、弾性ストリップ部６３の環状基部６２側端部は、環状基部６２の外周縁部と連結されている。これら環状基部６１,６２および弾性ストリップ部６３は、好ましくは、樹脂材料から一体成形されている。また、弾性台座部６０において、好ましくは、環状基部６２は、環状基部６１よりも大きな外形サイズを有し、且つ、複数の弾性ストリップ部６３のそれぞれは、外方に膨らむ湾曲形状を有する。このような弾性台座部６０の構成材料としては、例えば、スチロール樹脂、ポリカーボネート樹脂、ＡＢＳ樹脂、およびアクリル樹脂が挙げられる。
【００４０】
以上のような構成を有するオムツＸの使用にあたっては、着用者の肛門に山型パッド３０の開口部３０ａが対向する位置・姿勢で山型パッド３０が着用者の臀裂部に当接するように、オムツＸは使用者に着用される。そして、着用者から排泄される便は、着用者の臀裂部に当接する山型パッド３０の開口部３０ａに受容され、チューブ４０を通って収容部５０に至る。その排泄便は、収容部５０ないしその収容袋体５１内に収容されることとなる。
【００４１】
オムツＸは、上述のように、本体部１０の外装内側シート１２と外装外側シート１３との間に位置する収容部５０を備える。このような構成は、着用者からの排泄便を着用者身体から隔てた状態で留め置くのに適し、従って、着用者の身体が排泄便で汚れることを抑制するのに適する。そして、オムツＸについて、収容部５０内に排泄便が収容された状態でオムツ替え作業が行われる場合、作業者の手など身体は、汚れにくい。
【００４２】
また、オムツＸは、上述のように、排泄便受容口である開口部３０ａを有して着用者臀裂部に当接可能な山型パッド３０を備える。このような構成は、着用者からの排泄便を適切に受けて収容部５０に導くのに役立ち、ひいては、着用者やオムツ替え作業者が排泄便で汚れることを抑制するのに役立つ。
【００４３】
加えて、オムツＸは、上述のように、山型パッド３０の開口部３０ａから外装内側シート１２の開口部１２ａ（収容開口部）を経て収容部５０まで排泄便を導くためのチューブ４０を備える。このチューブ４０は、山型パッド３０の開口部３０ａから収容部５０側に延出する。このようなチューブ４０は、着用者からの排泄便を収容部５０に収容させるのに役立つのに加えて、収容部５０に一旦収容された排泄便が収容部５０から山型パッド３０の開口部３０ａに戻りにくくする（即ち、排泄便の逆流を抑制する）のにも役立つ。そして、このような逆流の抑制は、着用者やオムツ替え作業者が排泄便で汚れることを抑制するのに役立つ。
【００４４】
更に加えて、オムツＸは、上述のように、収容部５０内に位置する弾性台座部６０を備える。弾性台座部６０は、上述のように、外装内側シート１２の開口部１２ａまわりに固定された環状基部６１と、これに対向配置された環状基部６２と、これらを橋渡す複数の弾性ストリップ部６３とを有する。このような弾性台座部６０は、図１１および図１２に示すように、収容部５０内において、クッション性を有しつつ、チューブ４０まわりの空間を確保するのに適する（山型パッド３０の開口部３０ａから収容部５０側に延出するチューブ４０の少なくとも一部は、弾性台座部６０によって確保された空間内に位置する）。図１２に示す状態では、図１１に示す状態と比較して、外側外装シート１２と外側外装シート１３との間の相対距離が近いものの、弾性台座部６０の弾性ストリップ部６３が弾性変形してクッション性を発現しつつ、外側外装シート１２と外側外装シート１３との間の更なる接近を抑制するように作用している。例えばこのようにして、弾性台座部６０はその空間確保機能を発揮するのである。収容部５０内での空間確保機能を担う弾性台座部６０をオムツＸが備えるという構成は、チューブ４０内の排泄便の良好な通過を実現するのに適するとともに、収容部５０の排泄便収容空間の確保維持に適し、従って、チューブ４０通過中の排泄便の逆流や、収容部５０に既に収容された排泄便の逆流を、抑制するのに適する。そして、これら逆流の抑制は、着用者やオムツ替え作業者が排泄便で汚れることを抑制するのに役立つ。このような機能を担う弾性台座部６０がクッション性を有することは、オムツＸにおいて、着用者への異物感を低減して良好な装着感を確保するのに適する。また、弾性台座部６０における複数の弾性ストリップ部６３は、山型パッド３０を着用者臀裂部に向けて付勢して、着用者臀裂部に対する山型パッド３０の良好な当接状態を実現するのにも、役立つ。
【００４５】
以上のように、オムツＸでは、山型パッド３０と、チューブ４０と、収容部５０と、弾性台座部６０とが、汚れ抑制に向けて協働する。したがって、オムツＸは、着用者やオムツ替え作業者が排泄便で汚れることを抑制するのに適するのである。このような汚れ抑制は、感染防止に役立ち、ひいては、感染症の蔓延防止に役立つ。オムツＸは、上述のようなパンツタイプの介護用使い捨てオムツとして構成されるのに代えて、オムツ止着用の例えば一対のファスニングテープを伴うテープタイプの介護用使い捨てオムツとして構成されてもよい。
【００４６】
山型パッド３０は、上述のように、肛門まわりに貼着するための粘着部３３を受容開口部のまわりに有する。このような構成は、着用者からの排泄便を、山型パッド３０の受容開口部によって受容するのに好ましく、従って、収容部５０に導くのに好ましい。
【００４７】
チューブ４０は、上述のように、出口開口端４２側の端部において、チューブ４０の延び方向Ｄに延びる複数の片持ち片４３を有し、当該片持ち片４３は、チューブ４０の内壁面側に、延び方向Ｄと交差する方向に延びる切り込み４３ａを有する。このような構成によると、チューブ４０において、その出口開口端４２に対して他端側に向けて圧縮する力が作用したときに、各片持ち片４３が外方に開きやすい。圧縮力作用時に片持ち片４３がこのように外方変形しやすいことは、チューブ４０において、その流路を確保しつつクッション性を付与するのに適する。チューブ４０がクッション性を有することは、オムツＸにおいて、着用者への異物感を低減して良好な装着感を確保するのに役立つ。また、片持ち片４３に関する上記構成は、チューブ４０について、オムツＸが例えば使用前に折りたたまれている状態でのコンパクト化と、オムツ使用時のチューブ４０長さの確保とを、両立するのにも役立つ。
【００４８】
チューブ４０は、上述のように、出口開口端４２側の端部において、切欠き開口部４４を有する。このような構成は、チューブ４０の出口開口端４２が収容部５０内面や排泄便に当接する場合であっても、チューブ４０の内から外への排泄便の出口を確保するのに適する。
【００４９】
チューブ４０は、図１３に示すように、その延び方向Ｄの中間部位に厚肉部４５を有してもよい。このような構成は、チューブ４０において、正味の柔軟性とコシとのバランスをとるのに好ましい。
【００５０】
チューブ４０の片持ち片４３は、図１４および図１５に示すように、先細り形状を有してもよい（図１５は、先細り形状を有する一つの片持ち片４３を示す拡大斜視図である）。このような構成によると、チューブ４０の出口開口端４２が外力を受けたときに、隣り合う片持ち片４３が規制し合うことが抑制され、各片持ち片４３が変形しやすくなる。片持ち片４３が変形しやすいことは、チューブ４０において、その流路を確保しつつクッション性を付与するのに役立つ。
【００５１】
収容部５０は、上述のように、本体部１０における外装内側シート１２と外装外側シート１３との間に配された収容袋体５１を有するのが好ましい。このような構成において、オムツＸの着用者からの排泄便は、収容袋体５１内に収容されることとなる。当該構成は、着用者からの排泄便を着用者身体から隔てた状態で留め置くのに適し、従って、オムツ着用者やオムツ替え作業者が排泄便で汚れることを抑制するのに役立つ。
【００５２】
弾性台座部６０においては、上述のように、環状基部６２が環状基部６１よりも大きな外形サイズを有し、且つ、複数の弾性ストリップ部６３のそれぞれが外方に膨らむ湾曲形状を有する。このような構成は、収容部５０内においてチューブ４０まわりの空間を確保して、排泄便の上述の逆流を抑制するのに好ましく、従って、着用者やオムツ替え作業者が排泄便で汚れることを抑制するのに好ましい。また、各弾性ストリップ部６３が外方に膨らむ湾曲形状を有することは、弾性台座部６０におけるクッション性の発現に役立つ。
【００５３】
弾性台座部６０において、弾性ストリップ部６３の環状基部６２側端部は、図１６に示すように、環状基部６２の内周縁部と連結されていてもよい。このような構成は、弾性ストリップ部６３において、良好な弾性性を発現する所定の湾曲形状を設定したうえで、環状基部６２の外形サイズを環状基部６１の外形サイズに対して大きく設計するのに適する。弾性台座部６０は、環状基部６２の外形サイズが大きいほど、上述の空間確保機能を安定して発揮する傾向にある。
【符号の説明】
【００５４】
Ｘ      オムツ（介護用使い捨てオムツ）
１０    本体部
１１    トップシート
１２    外装内側シート
１２ａ  開口部（収容開口部）
１３    外装外側シート
２０    吸収ユニット
３０    山型パッド（臀裂対向部）
３０ａ  開口部（受容開口部）
３１    頂辺部
３２    傾斜面部
４０    チューブ（送便管路）
４１    入口開口端
４２    出口開口端
４３    片持ち片
４３ａ  切り込み
４４    切欠き開口部
４５    厚肉部
５０    収容部
５１    収容袋体
６０    弾性台座部
６１    環状基部（第１環状基部）
６２    環状基部（第２環状基部）
６３    弾性ストリップ部
【要約】
【課題】排泄便で汚れることを抑制するのに適した介護用使い捨てオムツを提供する。
【解決手段】本発明の介護用使い捨てオムツＸは、本体部１０、山型パッド３０、チューブ４０、収容部５０、および弾性台座部６０を備える。本体部１０は、外装内側シート１２および外装外側シート１３を含む多層構成を有する。山型パッド３０は、着用者の臀裂部に当接可能であり、排泄便を受けるための開口部３０ａを有する。チューブ４０は、山型パッド３０の開口部３０ａから収容部５０まで排泄便を導くためのものである。収容部５０は、着用者身体から隔てて排泄便を収容するためのものであり、外装内側シート１２および外装外側シート１３の間に位置する。弾性台座部６０は、収容部５０内に位置し、外装内側シート１２の収容開口部１２ａまわりに固定された環状基部６１と、これに対向配置された環状基部６２と、これらを橋渡す複数の弾性ストリップ部６３とを有する。
【選択図】図５【図１】
0006959470.tif 000002
【図２】
0006959470.tif 000003
【図３】
0006959470.tif 000004
【図４】
0006959470.tif 000005
【図５】
0006959470.tif 000006
【図６】
0006959470.tif 000007
【図７】
0006959470.tif 000008
【図８】
0006959470.tif 000009
【図９】
0006959470.tif 000010
【図１０】
0006959470.tif 000011
【図１１】
0006959470.tif 000012
【図１２】
0006959470.tif 000013
【図１３】
0006959470.tif 000014
【図１４】
0006959470.tif 000015
【図１５】
0006959470.tif 000016
【図１６】
0006959470.tif 000017